(57)【要約】【課題】噴霧容器の噴射機構の噴口部に振動を発生させること。【解決手段】エアゾール容器又はポンプ式噴霧容器の上端部に設けられた噴射用ステムに装着される噴射用押下部材14に備えられた噴口部18である。この噴口部18は噴射用押下部材14の内容液流通路の出口部に装着され、且つ、当該流通路の出口部の内部から外部に延長する延長管18から構成される。この延長管18の中間部の適宜位置を折曲して先端の開口部の向きを噴口部18の根元部の内部通路の方向と異なる方向に配置する。これにより噴射用押下部材14を押下して内容液が前記噴口部18の内部通路を通過し、噴口部18の開口部から外界に噴霧されると、噴口部18を成す延長管18がその根元部を中心として回転する。延長管18の適宜位置に重り部材19を付加する。この重り部材19付き延長管18が回転することによりその根元部の回転軸がぶれることによって噴口部18に振動が発生する。【選択図】図１
2015071431.tif 000002
【特許請求の範囲】
【請求項１】
エアゾール容器又はポンプ式噴霧容器の上端部に設けられた噴射用ステムに装着される噴射用押下部材に備えられた噴口部であって、この噴口部は、前記噴射用押下部材の内容液流通路の出口部に装着され、且つ、当該流通路の出口部の内部から外部に延長する延長管から構成され、この延長管の中間部の適宜位置を折曲して先端の開口部の向きを噴口部の根元部の内部通路の方向と異なる方向に配置し、これにより前記噴射用押下部材を押下して内容液が前記噴口部の内部通路を通過し、噴口部の開口部から外界に噴霧されると、噴口部を成す延長管がその根元部を中心として回転する噴口構造において、
前記延長管の適宜位置に重り部材を付加し、
この重り部材付き延長管が回転することによりその根元部の回転軸がぶれることによって噴口部に振動が発生することを特徴とする噴霧容器の振動式噴口構造。
【請求項２】
前記延長管が金属製管体から成り、重り部材がその先端部に設けられたことを特徴とする請求項１に記載の噴霧容器の振動式噴口構造。
【請求項３】
前記延長管及び重り部材が合成樹脂製のものから成り、重り部材が前記延長管と一体成形されたものであることを特徴とする請求項１に記載の噴霧容器の振動式噴口構造。
【請求項４】
前記重り部材が金属製であることを特徴とする請求項２に記載の噴霧容器の振動式噴口構造。
【請求項５】
前記延長管の先端開口部が、当該先端部の円周軌跡の略接線方向を向いていることを特徴とする請求項１乃至４の何れか１項に記載の噴霧容器の振動式噴口構造。
【発明の詳細な説明】
【技術分野】
【０００１】
本発明は、エアゾール容器やポンプ式噴霧容器の上端部に配設された噴射用ステムに接続される押下ボタン等の噴射用押下部材に設けられた噴口部の構造に関するものであって、かかる噴口部が振動を発生するものに関する。
【背景技術】
【０００２】
従来においては、このような振動を発生する噴口構造を有するものは存在していなかった。
ただし、この種の噴口構造を有するものとしては、以下の特許文献に記載のものを挙げることができる。
尚、このような振動を発生することができる噴口構造は、例えば、頭髪の育毛や養毛のための薬剤を噴霧するエアゾール製品等に適用することができるものとなる。
【０００３】
この種のエアゾール製品にあっては、その容器の上端部にマッサージ用の複数の突起部が円環状に設けられ、その中央部に噴口部が設けられており、これらの突起部を頭皮に押圧することによりバルブステム（噴射用ステム）が押下されて、噴口部の先端開口部から内容液が噴射されるタイプのものである。
【０００４】
このような従来の頭髪用のエアゾール容器においては、前記複数の突起部を頭皮に押圧して頭皮上を移動させてマッサージ効果を発揮させつつ同時に内容液を噴射させるのであるが、その際に、つまり内容液の噴射と同時に噴口部の動作により振動が更に加われば、頭皮へのマッサージ効果はより向上し、内容液の塗布効果も向上するものと本願発明者は考えたのである。これが本発明に係る振動式の噴口部構造開発の端緒となったのである。
【０００５】
下記特許文献１に記載の回転噴射エアゾール装置においては、床面に沿って均一に広く薬液を散布させ、害虫の潜む低位置を重点的にかつ経済的に薬剤処理しうることを課題とするものである。
その構成は、回転ヘッド１０が、回転体５と、そのアーム部１と、その先端のノズル部２とからなり、ノズル部２の噴口２１は半径方向を向き、噴口２２は接線方向成分を有し、回転平面内のみにあり、上方を向く成分を有していない。取付体３の係合部３１は、エアゾル缶６のマウント６１に係合する。回転ヘッド１０を押し下げたときに、前記係合部３１がマウント６１と係合し、押し下げた状態に保持できるものである。
【０００６】
即ち、この従来例においては、エアゾール缶の上端部に設けられた噴射用ステムに噴射用押下部材（取付体）が装着され、この押下部材の内容液流通路の出口部に噴口部（回転ヘッド）が取り付けられ、この噴口部の根元部は前記内容液流通路の出口部内から外部に延長し、その中間部で略直角方向に折曲してノズルの開口部が半径方向を向き、またノズルの開口部は先端ノズルの周回軌跡の略接線方向にも設けられているものである。
以上の構成により、噴口部（回転ヘッド）のノズルの開口部から内容液が噴霧されると、噴霧の反作用により、噴口部（回転ヘッド）が略水平面内で回転することができるものである。
【０００７】
下記特許文献２に記載のエアゾール装置においては、上記発明と同様に、内容液を広範囲に噴霧できるものであって、エアゾール内容液を噴霧動作の反作用で旋回する噴射ノズル（噴口部）を備えるものである。
この噴射ノズル（噴口部）は、１本のパイプから形成され、回転中心に位置する軸心部分と、該軸心部分から半径方向に延びるアーム部分と、該アーム部分の先端で旋回軌跡の接線方向成分とエアゾール装置の上方成分とをもつ方向に噴口が向けられた先端部分とに屈曲されて構成され、前記軸心部分の基部が押しボタン（押下部材）内部において回転自在に保持されたものである。
【先行技術文献】
【特許文献】
【０００８】
【特許文献１】特開平１１−５７５３７号公報
【特許文献２】実公平５−４５４０１号公報
【発明の概要】
【発明が解決しようとする課題】
【０００９】
上記従来例にある通り、噴口部が回転又は旋回して、エアゾール容器等の内容液を広範囲に噴霧できるものが存在しているが、本願発明においては、この広範囲噴霧と同時に噴口部が振動を発生できるものを創案することをその課題としている。
これにより、例えば頭髪用の育毛剤や養毛剤等を内部に収容したエアゾール容器に使用される複数のマッサージ用突起を有する押下部材にこの噴口部を適用することにより振動を発生させてマッサージ効果をより向上させることができることとなる。
尚、本願発明に係る振動発生可能な噴口部は、エアゾール容器の他、ポンプ式噴霧容器においても適用することができ、振動発生を必要とするあらゆるタイプの噴霧容器に利用することができるものである。
【課題を解決するための手段】
【００１０】
上記課題を解決するために、本発明の第１のものは、エアゾール容器又はポンプ式噴霧容器の上端部に設けられた噴射用ステムに装着される噴射用押下部材に備えられた噴口部であって、この噴口部は、前記噴射用押下部材の内容液流通路の出口部に装着され、且つ、当該流通路の出口部の内部から外部に延長する延長管から構成され、この延長管の中間部の適宜位置を折曲して先端の開口部の向きを噴口部の根元部の内部通路の方向と異なる方向に配置し、これにより前記噴射用押下部材を押下して内容液が前記噴口部の内部通路を通過し、噴口部の開口部から外界に噴霧されると、噴口部を成す延長管がその根元部を中心として回転する噴口構造において、前記延長管の適宜位置に重り部材を付加し、この重り部材付き延長管が回転することによりその根元部の回転軸がぶれることによって噴口部に振動が発生することを特徴とする噴霧容器の振動式噴口構造である。
【００１１】
本発明の第２のものは、上記第１の発明において、前記延長管が金属製管体から成り、重り部材がその先端部に設けられたことを特徴とする噴霧容器の振動式噴口構造である。
【００１２】
本発明の第３のものは、上記第１の発明において、前記延長管及び重り部材が合成樹脂製のものから成り、重り部材が前記延長管と一体成形されたものであることを特徴とする噴霧容器の振動式噴口構造である。
【００１３】
本発明の第４のものは、上記第２の発明において、前記重り部材が金属製であることを特徴とする噴霧容器の振動式噴口構造である。
【００１４】
本発明の第５のものは、上記何れかの発明において、前記延長管の先端開口部が、当該先端部の円周軌跡の略接線方向を向いていることを特徴とする噴霧容器の振動式噴口構造である。
【発明の効果】
【００１５】
本発明の第１のものにおいては、上記従来の噴口構造において、つまり、エアゾール容器又はポンプ式噴霧容器の上端部に設けられた噴射用ステムに装着される噴射用押下部材に備えられた噴口部であって、この噴口部は、前記噴射用押下部材の内容液流通路の出口部に装着され、且つ、当該流通路の出口部の内部から外部に延長する延長管から構成され、この延長管の中間部の適宜位置を折曲して先端の開口部の向きを噴口部の根元部の内部通路の方向と異なる方向に配置し、これにより前記噴射用押下部材を押下して内容液が前記噴口部の内部通路を通過し、噴口部の開口部から外界に噴霧されると、噴口部を成す延長管がその根元部を中心として回転する噴口構造において、この延長管の適宜位置に重り部材を付加し、この重り部材付き延長管が回転することによりその根元部の回転軸がぶれることによって噴口部に振動が発生することとなるのである。
従って、内容液の噴霧範囲を広範囲とすると共に、噴口部が振動するために、例えば頭髪用の各種薬液を噴霧するに際し、同時に振動をも付加でき、マッサージ効果をより向上させることができるのである。
【００１６】
本発明の第２のものにおいては、噴口部を形成する延長管を金属製管体から形成したものであり、且つ重り部材はその延長管の先端部に設けたため、その製作が容易となり、振動効果を簡単により効果的に発生させることが可能となるのである。
【００１７】
本発明の第３のものにおいては、前記延長管及び重り部材が合成樹脂製のものから成り、重り部材が前記延長管と一体成形されたため、上記同様に製作容易で、振動効果も良好に発揮されるものとなる。
【００１８】
本発明の第４のものにおいては、上記第２の発明において、重り部材を金属製としたために、延長管とその先端部の重り部材とを一体的に形成でき、製作容易で、その振動効果も極めて良好に発揮できるものとなる。
【００１９】
本発明の第５のものにおいては、噴口部を成す延長管の先端部の開口部を、延長管の先端部の円周軌跡の略接線方向に向けたことを特徴とするものであって、噴霧範囲の限定化を行ったものである。
【図面の簡単な説明】
【００２０】
【図１】本発明に係る噴霧容器の振動式噴口構造の第一の実施形態を示し、当該噴口構造を備える噴霧機構の全体を図示しており、その（Ａ）が平面図、その（Ｂ）が斜視図、その（Ｃ）が正面図、その（Ｄ）が前図（Ｃ）のＳ−Ｓ線断面図である。
【図２】図１（Ｄ）の噴口部分の拡大断面図である。
【図３】上記第一実施形態に係る噴口部を図示したものであり、その（Ａ）が平面図、その（Ｂ）が斜視図、その（Ｃ）が正面図、その（Ｄ）が左側面図である。
【図４】本発明に係る噴霧容器の振動式噴口構造の第二の実施形態を示し、当該噴口構造を備える噴霧機構の全体を図示しており、その（Ａ）が平面図、その（Ｂ）が斜視図、その（Ｃ）が正面図、その（Ｄ）が前図（Ｃ）のＤ−Ｄ線断面図である。
【図５】図４に示した第二実施形態に係る噴口部を示し、その（Ａ）が平面図、その（Ｂ）が斜視図、その（Ｃ）が正面図、その（Ｄ）が右側面図、その（Ｅ）が（Ｄ）図のＥ−Ｅ線断面図である。
【図６】本発明に係る噴霧容器の振動式噴口構造の第三の実施形態を示す縦断面図である。
【発明を実施するための形態】
【００２１】
以下、添付の図面と共に本発明の実施形態について説明する。
図１は、本発明に係る噴霧容器の振動式噴口構造の第一の実施形態を示し、当該噴口構造を備える噴霧機構の全体を図示しており、その（Ａ）が平面図、その（Ｂ）が斜視図、その（Ｃ）が正面図、その（Ｄ）が前図（Ｃ）のＳ−Ｓ線断面図である。
図２は、図１（Ｄ）の噴口部分の拡大断面図である。
【００２２】
本発明に係る噴口構造を備える噴射機構の全体は、図示はしていないエアゾール容器の上端部に装着固定される取付部１０と、エアゾール容器の上端中央部で上方に延長するバルブステム（噴射用ステム）に嵌合するステム接続部１３をその下面中央部に備える噴射用押下部材１４と、この噴射用押下部材１４の上面中央部に設けられた噴口部１８とから成る。
【００２３】
上記取付部１０は、筒体形状を有し、その下端周壁部１０ｋの内周面に設けられた段部１０ｄが図示省略したエアゾール容器の上方肩部に係合し、前記段部１０ｄの更に上方の係合部１０ｆがエアゾール容器上端部のマウンテンカップの周縁部に係合する。
この係合部１０ｆの中央の穴部からエアゾール容器の上端の噴射用ステムが上方に延長する。
【００２４】
この噴射用ステムに嵌合するのが、上記噴射用押下部材１４の底面部１４ｂの下面略中央部に設けられたステム接続部１３である。
この噴射用押下部材１４も有底円筒形状を有し、上記取付部１０の上端内周部で上下に往復摺動することができる。
【００２５】
また、この噴射用押下部材１４の上端周縁部の上面には、一定間隔に８本の突起部１５が設けられている。即ち、この噴射機構は、頭髪用の各種薬剤が収容されたエアゾール容器用のものである。
噴射用押下部材１４の底面部１４ｂの中央上面部には噴口部１８の根元部１８ｒを受容する噴口部保持部１６が設けられ、この噴口部保持部１６の内部には、エアゾール容器内に収容された薬液の流通路１６ｐが設けられている（図２参照）。
【００２６】
噴口部１８は、この実施形態では、金属製管体から成る延長管１８を用いており、その根元部１８ｒは、上記噴口部保持部１６の流通路１６ｐの出口部内に回転自在に保持され、この出口部から外部に延長して折曲部１８ｆで略直角方向に折曲されている。
この実施形態では、この延長管１８は、その先端部で円周周回軌跡の接線方向に更に折曲されており、その先端部に円柱形状の重り部材１９を取り付けているのである。
【００２７】
以上の構成により、本発明に係る延長管１８から成る噴口部１８は、噴射用押下部材１４が下向きに押下されると、当該押下部材１４の底面部１４ｂの下面中央部に設けられたステム接続部１３が図示省略したエアゾール容器の上端の噴射用ステムを押下することにより、エアゾール容器内の内容液がステムから噴射され、当該内容液は、押下部材１４の噴口部保持部１６の流通路１６ｐを通過し、噴口部である延長管１８の内部通路を流通して、延長管１８の先端の噴口から外界に噴霧されるのである。
【００２８】
延長管１８の先端噴口から内容液が外界に噴霧されると、その反作用により延長管１８は回転する。延長管１８の先端部には重り部材１９が取り付けられているために、延長管１８の根元部の回転軸がぶれることとなる。
この回転軸がぶれることにより、延長管１８、即ち噴口部１８は、振動を発生するのである。
噴口部１８が振動を起こすと、押下部材１４にも振動が伝わり、その結果、押下部材１４の上端の複数の突起部１５も振動し、これら突起部１５が頭皮等に当接された場合には、頭皮等のマッサージ効果を向上させることができるのである。
【００２９】
図３は、上記実施形態に係る噴口部を図示したものであり、その（Ａ）が平面図、その（Ｂ）が斜視図、その（Ｃ）が正面図、その（Ｄ）が左側面図である。
この図から解る通り、本実施形態に係る噴口部１８は、金属製管体から成る延長管１８からなり、
その先端部には円柱形状の金属製の重り部材１９を取り付け、その根元部は噴口部保持部１６ｎ内に受容され、この噴口部保持部１６ｎの内部で回転できるように構成されている。
尚、この図３に図示した噴口部保持部１６ｎは、図２の拡大図で示す噴口部保持部１６の内部に固定されるものである。
【００３０】
図４は、本発明に係る噴霧容器の振動式噴口構造の第二の実施形態を示し、当該噴口構造を備える噴霧機構の全体を図示しており、その（Ａ）が平面図、その（Ｂ）が斜視図、その（Ｃ）が正面図、その（Ｄ）が前図（Ｃ）のＤ−Ｄ線断面図である。
この第二実施形態においては、その噴口部の構造のみ上記第一実施形態と異なっており、その他の構成は全く同一である。
【００３１】
即ち、この第二実施形態に係る噴口構造を備える噴射機構の全体は、図示はしていないエアゾール容器の上端部に装着固定される取付部１０と、エアゾール容器の上端中央部で上方に延長するバルブステム（噴射用ステム）に嵌合するステム接続部１３をその下面中央部に備える噴射用押下部材１４と、この噴射用押下部材１４の上面中央部に備えられた噴口部２０とから成る。
【００３２】
取付部１０及び噴射用押下部材１４の構成は、第一実施形態と同じであり、説明は省略する。
噴口部２０は、合成樹脂製の延長管２０からなり、延長管２０の中間の折曲部２０ｆで略直角方向に折曲されており、その根元部２０ｒは、押下部材１４の噴口部保持部１６の内部に回転自在に保持されている。
【００３３】
噴口部２０となる延長管２０の内部通路も同様に上向きから略直角に折れ曲がり、その噴口２０ｋは、延長管２０の先端部の円周軌跡の略接線方向に開口しており、この噴口２０ｋからエアゾール容器の内容液が噴霧されると、その反作用で延長管２０が、即ち、噴口部２０が、その根元部２０ｒを回転軸として回転することとなる。
【００３４】
延長管２０の折曲部２０ｆから先端部にかけて重り部材２９が一体成形されている。
即ち、この重り部材２９も延長管２０と同一の合成樹脂製である。
この重り部材２９は、その平面図（Ａ）から解る通り、平面視扇形状を有し、その延長管２０の接続部２０ｓで最大の厚みを有し、その外周部２９ｇに向かってその厚みが薄くなる形態を有している（図５参照）。
【００３５】
この重り部材２９の形態は、図５から良く見て取ることができる。
図５は、図４に示した第二実施形態に係る噴口部の部分を示し、その（Ａ）が平面図、その（Ｂ）が斜視図、その（Ｃ）が正面図、その（Ｄ）が右側面図、その（Ｅ）が（Ｄ）図のＥ−Ｅ線断面図である。
【００３６】
即ち、この重り部材２９は、噴口部２０の折曲部２０ｆから先端部にかけて接続し、平面視扇形状を有し、その接続部２０ｓでその上下の厚みが最大であり、その外周部２０ｇでその厚みが最少となり、両者の中間部２９ｔではその厚みが外周部に向かって徐々に薄くなるように形成されている。つまり、噴口部２０の先端側が一番重い状態となる。
【００３７】
このような形態を採用したのは、噴口部２０が最も大きい振動を発生できるからである。
尚、この実施形態においては、（Ｂ）及び（Ｃ）図から良く見て取れる通り、噴口部２０の先端部に設けた噴口２０ｋの開口方向は、先端部の回転軌跡の略接線方向に向かって設けられている。
【００３８】
この噴口２０ｋの開口向きは、半径方向であっても良好に延長管２０を回転させることができるのであるが、その噴霧範囲を適宜所定範囲内に限定するために、この態様を採用したものである。
また、本発明において、噴口部（延長管）２０が良好に振動を発生することができるのは、その根元部の回転に際して、その回転軸が重り部材によりぶれることが原因と考えられている。
【００３９】
図６は、本発明に係る噴霧容器の振動式噴口構造の第三の実施形態を示す縦断面図である。
この第三実施形態においては、上記２つの実施形態と異なり、噴射用押下部材の構成が異なるものであり、噴口部の構成は、上記第一実施形態のものと同様のものである。
【００４０】
この第三実施形態における噴射用押下部材３０は、エアゾール容器の上端のバルブステム（噴射用ステム）に装着される押しボタン３０からなるものである。
この押しボタン３０は、エアゾール容器の噴射用ステムに接続嵌合するステム接続部３３をその下面中央部に有し、ステム接続部３３から上方に、そして略直角の横方向に延びる内容液の流通路３０ｐを有し、この流通路３０ｐの出口部の内部に噴口部を成す延長管２８の根元部２８ｒが回転自在に保持されている。
【００４１】
押しボタン３０の頂面３０ｔ（濃い斜線部）が手の指を置いて押し下げられる部分である。
延長管２８は、その中間部で略直角上方に折曲し、その先端部で更にこの延長管２８の先端部の円周軌跡の略接線方向に折曲する。
そして、この先端部に重り部材１９が取り付けられているものである。
この重り部材１９は、上記第一実施形態のものと同一である。
【００４２】
これにより、押しボタン（押下部材）３０を押下することにより、エアゾール容器内部の内容液が噴射用ステムから排出され、押しボタン３０の流通路３０ｐを通過して、延長管（噴口部）２８の内部通路を通過してその先端部から外界に噴霧されるのである。
この噴霧動作の反作用により、延長管（噴口部）２８は、その根元部２８ｒを回転軸として回転し、その先端部の重り部材１９の存在により、この延長管２８は振動を発生するのである。
【００４３】
この第三実施形態における延長管２８及び重り部材１９も、前記第一実施形態と同様に、金属製である。
このように、本発明に係る噴口構造は、押下部材として押しボタン形式のものに関しても適用することができるのである。
【００４４】
以上、実施形態について説明したが、本発明においては以下の通り種々設計変更が可能である。
本発明に係る噴口構造の形状、サイズ、材質等は任意に設計変更することができる。
噴口部（延長管）の折曲箇所は最低１つあればよく、噴口部（延長管）の先端部の噴口の開口向きがその根元部の内部通路の方向と異なっていればよい。
これにより、噴霧方向の反作用により噴口部（延長管）が回転することができるからである。
【００４５】
更に、重り部材は、噴口部（延長管）の外部の中間部の何れかの位置又は先端部に設ければよいものである。
重り部材は、最低１個設ければよいが、これを複数設けることもできる。
重り部材の形態も、上記第一実施形態のような円柱形状の他、上記第二実施形態のような特殊な形態を採用することもできる。
【００４６】
また、その材質も、金属製又は合成樹脂製等各種のものを採用することができる。
一体成形を考慮すれば、噴口部と同じ材質とすることが望ましい。
重り部材の重量も全く自由に設定することができる。
最後に、本発明においては、この噴口構造をポンプ式の噴霧容器に適用することも当然可能である。
【００４７】
以上、本発明は、噴口部の適宜位置に重り部材を取り付けることにより、噴口部が回転すると共に振動をも発生できることを特徴とし、振動を必要とする噴射機構のあらゆるタイプのものに応用できる極めて大きな効果を有する噴霧容器の振動式噴口構造を提供することができた。
【符号の説明】
【００４８】
１０  取付部
１３  ステム接続部
１４  噴射用押下部材
１５  突起部
１６  噴口部保持部
１８、２０、２８  噴口部（延長管）
１８ｆ、２０ｆ  折曲部
１８ｒ、２０ｒ  根元部
１９、２９  重り部材
【図１】
2015071431.tif 000003
【図２】
2015071431.tif 000004
【図３】
2015071431.tif 000005
【図４】
2015071431.tif 000006
【図５】
2015071431.tif 000007
【図６】
2015071431.tif 000008